(57)【要約】      （修正有）【課題】昇降路内上部の温度上昇による制御動作への影響をより小さくすることができるエレベータの制御装置を提供する。【解決手段】ケース本体１には、通風ダクト５が取り付けられている。通風ダクト５は、ケース本体１から下方へ突出するケース外ダクト部６と、ケース本体１内でケース外ダクト部６と本体排気口４とを連通するケース内ダクト部７とを有している。ケース外ダクト部６の下端部には、昇降路３の底部に向かって開口する吸気口６ａが設けられている。吸気口６ａは、ケース本体１よりも低い位置に配置されている。【選択図】図１
2007045561.tif 000002
【特許請求の範囲】
【請求項１】
昇降路内上部に配置され、本体排気口が設けられているケース本体、
上記ケース本体から下方へ突出し上記ケース本体よりも低い位置に吸気口が設けられているケース外ダクト部と、上記ケース本体内で上記ケース外ダクト部と上記本体排気口とを連通するケース内ダクト部とを有する通風ダクト、及び
上記ケース本体内及び上記通風ダクト内に配置されている制御機器
を備えていることを特徴とするエレベータの制御装置。
【請求項２】
上記制御機器は、発熱機器と、上記発熱機器が発する熱を放熱する放熱機器とを有し、
上記発熱機器は、上記ケース本体内で上記ケース内ダクト部の外側に配置され、上記放熱機器は、上記ケース内ダクト部内に配置されていることを特徴とする請求項１記載のエレベータの制御装置。
【請求項３】
上記制御機器は、上記通風ダクト内に配置された第１の機器と、上記通風ダクト内で上記第１の機器よりも上記吸気口側に配置され、上記第１の機器よりも発熱量が小さい第２の機器とを有していることを特徴とする請求項１又は請求項２に記載のエレベータの制御装置。
【請求項４】
上記ケース本体の外部に設けられている外側ケース
をさらに備え、
上記外側ケースと上記ケース本体の外周部との間には、上記本体排気口から排出された冷却風を上記ケース本体の外周部に沿って流通させてから上記外側ケース外へ導く外周流路が形成されていることを特徴とする請求項１〜請求項３のいずれかに記載のエレベータの制御装置。
【請求項５】
上記外側ケースと上記ケース本体の外周部との間には、上記本体排気口から排出された冷却風を上記外周流路よりも短い経路で上記外側ケース外へ導く直接排気流路がさらに形成されており、
上記本体排気口から排出された冷却風を上記外周流路及び上記直接排気流路のいずれに導入するかを上記ケース本体内の温度に応じて切り換える外側流路選択部をさらに備えていることを特徴とする請求項４記載のエレベータの制御装置。
【請求項６】
上記ケース内ダクト部には、上記ケース本体内で上記ケース内ダクト部の内外を連通させる内部開口部が設けられており、
上記ケース本体内の温度に応じて上記内部開口部を開閉する内側流路選択部をさらに備えていることを特徴とする請求項１〜請求項５のいずれかに記載のエレベータの制御装置。
【発明の詳細な説明】
【技術分野】
【０００１】
この発明は、エレベータの運転を制御するエレベータの制御装置に関するものである。
【背景技術】
【０００２】
従来のエレベータの制御装置では、ケースの下部に吸気口が設けられ、ケースの上部に排気口が設けられている。また、ケース内には、エレベータ装置の運転を制御するための制御機器、及びその制御機器に接続された放熱フィンが格納されている。そして、吸気口から吸気された冷却風は、ケース内を通過する際に放熱フィン及び制御機器を冷却し、排気口からケース外へ排気される（例えば、特許文献１参照）。
【０００３】
【特許文献１】ＷＯ０１／０８１２２２４号公報
【発明の開示】
【発明が解決しようとする課題】
【０００４】
ところで、昇降路内の空気は例えば昇降路外から加えられる熱やエレベータ装置自体が発する熱等によって温められ、昇降路頂部に近づくにつれて気温が高くなる。上記のような従来のエレベータの制御装置では、冷却風はケース自体に設けられた吸気口から吸気されるので、ケースが昇降路上部に配置されると、温かい空気が冷却風として吸気され、放熱フィン及び制御機器の冷却効率が悪くなり、制御動作に支障が生じる。
【０００５】
この発明は、上記のような課題を解決するためになされたものであり、その目的は、昇降路内上部の温度上昇による制御動作への影響をより小さくすることができるエレベータの制御装置を提供することである。
【課題を解決するための手段】
【０００６】
この発明に係るエレベータの制御装置は、昇降路内上部に配置され、本体排気口が設けられているケース本体、ケース本体から下方へ突出しケース本体よりも低い位置に吸気口が設けられているケース外ダクト部と、ケース本体内でケース外ダクト部と本体排気口とを連通するケース内ダクト部とを有する通風ダクト、及びケース本体内及び通風ダクト内に配置されている制御機器を備える。
【発明の効果】
【０００７】
この発明のエレベータの制御装置によれば、ケース外ダクト部は、ケース本体から下方へ突出しケース本体よりも低い位置に吸気口が設けられているので、ケース本体周辺よりも低い温度の冷却風によって制御機器を冷却することができ、昇降路内上部の温度上昇による制御動作への影響をより小さくすることができる。
【発明を実施するための最良の形態】
【０００８】
以下、この発明を実施するための最良の形態について、図面を参照して説明する。
実施の形態１．
図１は、この発明の実施の形態１によるエレベータの制御装置を示す斜視図である。図において、ケース本体１は、昇降路３内頂部（上部）に配置されている。昇降路３内頂部とは、かご（図示せず）の昇降経路よりも上の部分である。ケース本体１の前壁上部には、矩形の本体排気口４が設けられている。
【０００９】
ケース本体１には、通風ダクト５が取り付けられている。通風ダクト５には、ケース本体１よりも下方へ突出しているケース外ダクト部６と、ケース本体１内でケース外ダクト部６と本体排気口４とを連通しているケース内ダクト部７とが設けられている。
【００１０】
ケース外ダクト部６の下端部には、昇降路３の底部に向かって開口する吸気口６ａが設けられている。吸気口６ａは、ケース本体１よりも低い位置に配置されている。ケース外ダクト部６内部には、吸気口６ａに面して吸気ファン８が配置されている。ケース外ダクト部６は、ケース内ダクト部７と連通されることで、ケース内ダクト部７とともに冷却風通風流路を形成している。
【００１１】
ケース本体１内部の空間は、ケース内ダクト部７によって、ケース内ダクト部７内部の空間である冷却風通風空間１ａと、ケース本体１内のケース内ダクト部７外部の空間である制御機器格納空間１ｂとに区画されている。制御機器格納空間１ｂには、エレベータの運転制御を行うための駆動ユニット（図示せず）が格納されている。駆動ユニットには、例えば電力半導体素子等の発熱機器が含まれている。冷却風通風空間１ａには、駆動ユニットが発する熱を放熱する放熱機器１１が配置されている。放熱機器１１には、例えば駆動ユニットに接続されたヒートパイプ、及びヒートパイプに取り付けられた放熱フィン等の機器が含まれる。なお、この実施の形態では、制御機器は、駆動ユニット及び放熱機器１１を有している。
【００１２】
ここで、昇降路３内の空気は、例えば日光の照射による熱、及びエレベータ装置自体が発する熱等によって温められ、昇降路３の頂部に近づくにつれて気温が高くなる。換言すると、昇降路３内頂部には、温められた空気がこもる。
【００１３】
次に、動作について説明する。吸気ファン８が動作されると、吸気口６ａから冷却風が吸気される。即ち、ケース本体１下部よりも低い位置から、ケース本体１周辺よりも低い温度の冷却風が吸入される。吸気口６ａから吸入された冷却風は、ケース外ダクト部６内及びケース内ダクト部７内を流通された後に、本体排気口４からケース本体１外へ排出される。放熱機器１１は、冷却風がケース内ダクト部７内を流通される際に、その冷却風によって冷却される。
【００１４】
このようなエレベータの制御装置では、ケース外ダクト部６は、ケース本体１から下方へ突出しケース本体１よりも低い位置に吸気口６ａが設けられているので、ケース本体１周辺よりも低い温度の冷却風によって放熱機器１１を冷却することができ、昇降路３内頂部の温度上昇による放熱機器１１の冷却効率悪化をより小さくすることができ、昇降路３内頂部の温度上昇による制御動作への影響をより小さくすることができる。
また、昨今、昇降路としてガラスシャフトが採用されることが多くなり、例えばそのガラスシャフトに直射日光が照射される等すると、ガラスシャフト内上部に高温の空気がこもってしまう。つまり、この実施の形態のエレベータの制御装置は、ガラスシャフトが採用されているエレベータ装置に特に有効である。
【００１５】
また、このようなエレベータの制御装置では、ケース本体１は、昇降路３内頂部に配置されているので、ケース本体１が昇降路３内の中間部（かごの昇降経路側方）に配置される場合に比べて、昇降路３を縮小させることができる。
【００１６】
実施の形態２．
図２は、この発明の実施の形態２によるエレベータの制御装置を示す斜視図である。図において、ケース内ダクト部７内には、第２の機器である小発熱ユニット１５が配置されている。小発熱ユニット１５は、放熱機器１１よりも吸気口６ａ側（上流側）に配置されている。小発熱ユニット１５は、駆動ユニットよりも発熱量が小さい。小発熱ユニット１５には、それ自体が高温での使用に適しない機器、例えばバッテリ等が含まれる。なお、この実施の形態では、第１の機器は、駆動ユニット及び放熱機器１１を有している。その他の構成は、実施の形態１と同様である。
【００１７】
このようなエレベータの制御装置では、小発熱ユニット１５は、ケース内ダクト部７に配置されているので、放熱機器１１冷却のための冷却風を小発熱ユニット１５の温度上昇防止に利用することができ、小発熱ユニット１５の動作をより安定させることができる。つまり、昇降路３内頂部の温度上昇による制御動作への影響をより小さくすることができる。
【００１８】
実施の形態３．
図３は、この発明の実施の形態３によるエレベータの制御装置を示す斜視図である。実施の形態２では、小発熱ユニット１５はケース内ダクト部７内に配置されていたが、この実施の形態３では、小発熱ユニット１５はケース外ダクト部６内で放熱機器１１よりも吸気口６ａ側に配置されている。その他の構成は、実施の形態１と同様である。
【００１９】
このように、小発熱ユニット１５をケース外ダクト部６内に配置しても実施の形態２と同様の効果を得ることができる。つまり、小発熱ユニット１５は、通風ダクト５内で放熱機器１１よりも吸気口６ａ側に配置されればよい。
【００２０】
実施の形態４．
図４は、この発明の実施の形態４によるエレベータの制御装置を示す斜視図である。図において、ケース本体１は、外側ケース２０によって囲まれている。外側ケース２０内壁とケース本体１外壁との間には、ケース間隙間１９が形成されている。つまり、この実施の形態のエレベータの制御装置のケースは２層化されている。
【００２１】
外側ケース２０の前壁上部には、第１の外側排気口２１が設けられている。外側ケース２０の前壁下部には、第２の外側排気口２２が設けられている。本体排気口９は、ケース本体１の側壁に設けられている。本体排気口９には、ケース内ダクト部７と第１及び第２の外側排気口２１，２２とを連通させる外側流路選択部２４が取り付けられている。外側流路選択部２４の下方には、外側流路選択部２４とともにケース間隙間１９内の空間を略Ｃ字状に区画する隔壁２５が配置されている。
【００２２】
次に、図５は、図４のエレベータ制御装置の冷却風流路を説明する説明図である。図６は、図５の外側流路選択部２４を示す斜視図である。外側流路選択部２４は、直接排気用ダクト２６と循環排気用ダクト２７とを有している。直接排気用ダクト２６及び循環排気用ダクト２７間のダクト間仕切板２９は、本体排気口９の幅方向中心に合わせて配置されている。
【００２３】
循環排気用ダクト２７は、ケース内ダクト部７と第２の外側排気口２２とをケース間隙間１９を介して連通させている。循環排気用ダクト２７の通風口２７ａに流入された冷却風は、ケース本体１外壁に沿ってケース間隙間１９内を流通された後に、第２の外側排気口２２から外側ケース２０外へ排出される。つまり、循環排気用ダクト２７及びケース間隙間１９は、本体排気口９から排出された冷却風をケース本体１外壁に沿って流通させてから外側ケース２０外へ導く外周流路２３を形成している。
【００２４】
直接排気用ダクト２６は、ケース内ダクト部７と第１の外側排気口２１とを直接連通させている。直接排気用ダクト２６の通風口２６ａに流入された冷却風は、直接排気用ダクト２６内を流通された後に、第１の外側排気口２１から外側ケース２０外へ排出される。つまり、直接排気用ダクト２６は、本体排気口４から排出される冷却風を外周流路２３よりも短い経路で外側ケース２０外へ導く直接排気流路２８を形成している。その他の構成は、実施の形態１と同様である。
【００２５】
次に、動作について説明する。吸気ファン８が動作されると、吸気口６ａから冷却風が吸入され、その冷却風はケース外ダクト部６内及びケース内ダクト部７内を流通される。その次に、本体排気口９から排出される冷却風の一部は、直接排気用ダクト２６の通風口２６ａに流入され、直接排気流路２８を流通した後に第１の外側排気口２１から外側ケース２０外へと直接排気される。また、本体排気口９から排出される冷却風の一部は、循環排気用ダクト２７の通風口２７ａに流入され、ケース本体１外壁に沿って外周流路２３内を流通された後に第２の外側排気口２２から外側ケース２０外へ排出される。
【００２６】
このようなエレベータの制御装置では、外側ケース２０は、ケース本体１外壁との間に外周流路２３を設け、ケース内ダクト部７内を通過された冷却風が、循環排気用ダクト２７及び外周流路２３を通過され、ケース本体１の外壁に沿って周回された後に第２の外側排気口２２から外側ケース２０外へ排出されるようになっているので、ケース本体１内の温度を、本体排気口９から排出される冷却風の温度と同程度に保つことができ、昇降路３内頂部の温度が上昇したとしても、ケース本体１内の温度上昇を低く抑えることができる。
【００２７】
実施の形態５．
図７は、この発明の実施の形態５によるエレベータの制御装置の冷却風流路を示す説明図である。図８は、図７の外側流路選択部３０を示す斜視図である。実施の形態４の外側流路選択部２４では、常に冷却風が外周流路２３内を流通できるようになっていたが、この実施の形態５の外側流路選択部３０では、冷却風の流路を切り換えることができ、必要なときにのみ冷却風が外周流路２３に導入されるようになっている。
【００２８】
外側流路選択部３０は、直接排気用ダクト３５、循環排気用ダクト３６、及び流路切換手段３７を有している。流路切換手段３７は、流路切換用仕切板３８、駆動装置３９、及び温度測定ユニット（図示せず）を含む。流路切換用仕切板３８は、直接排気用ダクト３５及び循環排気用ダクト３６間のダクト間仕切板２９の端部に、ヒンジ４０を介して回動可能に取り付けられている。直接排気用ダクト３５及び循環排気用ダクト３６の冷却風流入側端部は、流路切換用仕切板３８がヒンジ４０を中心に９０°回動されることで、直接排気用ダクト３５の通風口３５ａ、及び循環排気用ダクト３６の通風口３６ａのいずれか一方が選択的に塞がれるように切り込まれている。なお、図７では、循環排気用ダクト３６の通風口３６ａが流路切換用仕切板３８によって塞がれている。温度測定ユニットは、ケース本体１内の温度を測定する。駆動装置３９は、温度測定ユニットからの信号に基づいて流路切換用仕切板３８を回動させる。
【００２９】
具体的には、駆動装置３９は、ケース本体１内の温度が所定温度未満の場合に、流路切換用仕切板３８によって循環排気用ダクト３６の通風口３６ａを塞ぎ、本体排気口９から排出されるすべての冷却風を直接排気流路２８に導入し、その冷却風が第１の外側排気口２１から外側ケース２０外へ直接排出されるようにする。
【００３０】
また、駆動装置３９は、ケース本体１内の温度が所定温度に達した場合に、流路切換用仕切板３８によって直接排気用ダクト３５の通風口３５ａを塞ぎ、本体排気口９から排出されるすべての冷却風を外周流路２３に導入し、その冷却風がケース本体１の外壁に沿って流通された後に第２の外側排気口２２から外側ケース２０外へ排出されるようにする。なお、駆動装置３９としては、例えばソレノイドコイルを用いた電磁駆動装置等が用いられる。その他の構成は、実施の形態４と同様である。
【００３１】
このようなエレベータの制御装置では、流路切換手段３７は、ケース本体１内の温度が所定温度以下の場合に、本体排気口９から排出されるすべての冷却風を直接排気流路２８に導入し第１の外側排気口２１から外側ケース２０外へ直接排出させるようになっているので、放熱機器１１によって温められた冷却風の温度に比べてケース本体１内の温度が低い場合に、その冷却風によってケース本体１が温められる可能性を低減させることができ、より確実にケース本体１内の温度の上昇を抑えることができる。
【００３２】
実施の形態６．
図９は、この発明の実施の形態６による外側流路選択部４５を示す正面図である。実施の形態５の外側流路選択部３０では、流路切換用仕切板３８が回動されることで、ケース内ダクト部７を流通された後の冷却風の導入先が切り換えられていたが、この実施の形態６の外側流路選択部４５は、第１及び第２の流路切換用送風ファン４８，４９の動作によって、冷却風の導入先が切り換えられるようになっている。
【００３３】
外側流路選択部４５は、直接排気用ダクト２６、循環排気用ダクト２７、及び流路切換手段４６を有している。流路切換手段４６は、第１及び第２の流路切換用送風ファン４８，４９、駆動装置（図示せず）、及び温度測定ユニット（図示せず）を含む。第１の流路切換用送風ファン４８は、直接排気用ダクト２６の通風口２６ａ内に配置されている。第２の流路切換用送風ファン４９は、循環排気用ダクト２７の通風口２７ａ内に配置されている。
【００３４】
外側流路選択部４５の駆動装置は、ケース本体１内の温度が所定温度未満の場合に、第１の流路切換用送風ファン４８を動作させるとともに第２の流路切換用送風ファン４９の動作を停止させ、本体排気口９から排出されるすべての冷却風を直接排気流路２８に導入し、その冷却風を第１の外側排気口２１から外側ケース２０外へ直接排出させる。
【００３５】
また、外側流路選択部４５の駆動装置は、ケース本体１内の温度が所定温度に達した場合に、第２の流路切換用送風ファン４９を動作させるとともに第１の流路切換用送風ファン４８の動作を停止させ、本体排気口９から排出されるすべての冷却風を外周流路２３に導入し、その冷却風をケース本体１の外壁に沿って流通された後に第２の外側排気口２２から外側ケース２０外へ排出させる。その他の構成は、実施の形態５と同様である。
【００３６】
このように、流路切換手段４６の駆動装置が、温度測定ユニットからの信号に基づいて、第１及び第２の流路切換用送風ファン４８，４９の動作を制御することで、ケース内ダクト部７を通過された後の冷却風の導入先が切り換えられるようにしても実施の形態５と同様の効果を得ることができる。
【００３７】
実施の形態７．
図１０は、この発明の実施の形態７による外側流路選択部５５を示す正面図である。図１１は、図１０の流路切換用スリット板５６を分解した状態を示す説明図である。実施の形態５の外側流路選択部３０では、流路切換用仕切板３８が回動されることで、ケース内ダクト部７を流通された後の冷却風の導入先が切り換えられていたが、この実施の形態６の外側流路選択部５５は、流路切換用スリット板５６の動作によって、冷却風の導入先が切り換えられるようになっている。
【００３８】
外側流路選択部５５は、直接排気用ダクト２６、循環排気用ダクト２７、及び流路切換手段５４を有している。流路切換手段５４は、流路切換用スリット板５６、駆動装置５８、及び温度測定ユニット（図示せず）を含む。流路切換用スリット板５６は、本体排気口４に面して配置されている。流路切換用スリット板５６には、本体排気口９に対して固定された固定板５６ａと、固定板５６ａに対して平行に変位可能な可変板５６ｂとが含まれている。固定板５６ａ及び可変板５６ｂには、複数のスリット孔６０が設けられている。スリット孔６０は、可変板５６ｂが固定板５６ａに対して平行に変位された際に直接排気用ダクト２６の通風口２６ａ及び循環排気用ダクト２７の通風口２７ａのいずれか一方のみが開状態となるように配置されている。なお、図１０では、循環排気用ダクト２７の通風口２７ａが開かれている。駆動装置５８は、温度測定ユニットからの信号に基づいて、可変板５６ｂを変位させる。
【００３９】
具体的には、駆動装置５８は、ケース本体１内の温度が所定温度未満の場合に、可変板５６ｂを変位させることで直接排気用ダクト２６の通風口２６ａを開状態にさせ、本体排気口９から排出されるすべての冷却風を直接排気流路２８に導入し、その冷却風を第１の外側排気口２１から外側ケース２０外へ直接排出させる。
【００４０】
また、駆動装置５８は、ケース本体１内の温度が所定温度に達した場合に、可変板５６ｂを変位させることで循環排気用ダクト２７の通風口２７ａを開状態にさせ、本体排気口９から排出されるすべての冷却風を外周流路２３に導入し、その冷却風をケース本体１の外壁に沿って流通された後に第２の外側排気口２２から外側ケース２０外へ排出させる。その他の構成は、実施の形態５と同様である。
【００４１】
このように、駆動装置５８が、温度測定ユニットからの信号に基づいて、可変板５６ｂを変位させることで、ケース内ダクト部７を通過された後の冷却風の導入先が切り換えられるようにしても実施の形態５と同様の効果を得ることができる。
【００４２】
なお、実施の形態４〜７では、第１及び第２の外側排気口２１，２２は、外側ケース２０の同一面に設けられるように説明したが、第１及び第２の外側排気口は、それぞれ外側ケースの異なった面に設けられてもよい。また、第１の外側排気口２１は、第２の外側排気口２２よりも上側に配置されるように説明したが、第１及び第２の外側排気口間の位置関係は、上記の例に限定されず、例えば第１外側排気口が第２外側排気口２２よりも下側に設けられてもよい。
【００４３】
実施の形態８．
図１２は、この発明の実施の形態８によるエレベータの制御装置を示す斜視図である。図において、ケース内ダクト部７の上部には、冷却風通風空間１ａを制御機器格納空間１ｂと連通させる内部開口部６５が設けられている。ケース本体１の下部には、制御機器格納空間１ｂをケース本体１外と連通させる格納空間排気口６６が設けられている。吸気口６ａから吸入された冷却風は、ケース外ダクト部内６及びケース内ダクト部７内を流通され、本体排気口４からケース本体１外へ排出されるとともに、内部開口部６５から制御機器格納空間１ｂ内へ流入され、制御機器格納空間１ｂ内を流通した後に格納空間排気口６６からケース本体１外へ排出される。換言すると、この実施の形態では、冷却風通風空間１ａはメイン内部ダクトであり、制御機器格納空間１ｂはサブ内部ダクトである。その他の構成は、実施の形態１と同様である。
【００４４】
このようなエレベータの制御装置では、ケース内ダクト部７に内部開口部６５が設けられているので、内部開口部６５から制御機器格納空間１ｂ内へと冷却風を流入させることができ、ケース本体１内の温度を、本体排気口４から排気される冷却風の温度と同程度に保つことができ、昇降路３頂部に温められた空気がこもったとしても、ケース本体１内の温度上昇を低く抑えることができる。
【００４５】
なお、実施の形態８では、常に冷却風が内部開口部６５から制御機器格納空間１ｂ内へ流入できるようになっていたが、例えば内部開口部を開閉するための流路切換用仕切板、流路切換用スリット板、及び送風ファン等を有し、ケース本体内の温度が所定温度に達した場合にのみに内部開口部を開状態にする内側流路選択部を内部開口部に配置してもよい。このように内部開口部に内側流路選択部を配置すると、放熱機器１１によって温められた冷却風の温度に比べてケース本体１内の温度が低い場合に、その冷却風の制御機器格納空間１ｂ内への流入を規制することができ、その冷却風によってケース本体１が温められる可能性を低減させることができ、より確実にケース本体１内の温度の上昇を抑えることができる。
【００４６】
また、実施の形態８では、格納空間排気口６６はケース本体１の下部に設けられていると説明したが、格納空間排気口の配置場所は、ケース本体下部に限定されず、例えばケース本体側部及びケース本体上部等でもよい。
【００４７】
さらに、実施の形態１〜８では、吸気ファン８は、吸気口６ａに隣接して配置されていると説明したが、吸気ファンの配置場所は吸気口に限定されず、例えば外側排気口に隣接して吸気ファンを配置してもよく、吸気口と本体排気口との間に吸気ファンを配置してもよい。
【００４８】
さらにまた、実施の形態１〜８では、通風ダクト５は、ケース本体１と別体であると説明したが、ケース本体と一体でもよい。
【００４９】
また、実施の形態１〜８では、ケース本体１は、昇降路３内頂部に配置されると説明したが、昇降路内中間部に配置されてもよい。
【図面の簡単な説明】
【００５０】
【図１】この発明の実施の形態１によるエレベータの制御装置を示す斜視図である。
【図２】この発明の実施の形態２によるエレベータの制御装置を示す斜視図である。
【図３】この発明の実施の形態３によるエレベータの制御装置を示す斜視図である。
【図４】この発明の実施の形態４によるエレベータの制御装置を示す斜視図である。
【図５】図４のエレベータ制御装置の冷却風流路を説明する説明図である。
【図６】図５の外側流路選択部２４を示す斜視図である。
【図７】この発明の実施の形態５によるエレベータの制御装置の冷却風流路を示す説明図である。
【図８】図７の外側流路選択部を示す斜視図である。
【図９】この発明の実施の形態６による外側流路選択部を示す正面図である。
【図１０】この発明の実施の形態７による外側流路選択部を示す正面図である。
【図１１】図１０の流路切換用スリット板を分解した状態を示す説明図である。
【図１２】この発明の実施の形態８によるエレベータの制御装置を示す斜視図である。
【符号の説明】
【００５１】
１  ケース本体、３  昇降路、４，９  本体排気口、５  通風ダクト、６  ケース外ダクト部、６ａ  吸気口、７  ケース内ダクト部、１１  放熱機器、１５  小発熱ユニット、２０  外側ケース、２３  外周流路、２４，３０，４５，５５  外側流路選択部、２８  直接排気流路、６５  内部開口部。
【図１】
2007045561.tif 000003
【図２】
2007045561.tif 000004
【図３】
2007045561.tif 000005
【図４】
2007045561.tif 000006
【図５】
2007045561.tif 000007
【図６】
2007045561.tif 000008
【図７】
2007045561.tif 000009
【図８】
2007045561.tif 000010
【図９】
2007045561.tif 000011
【図１０】
2007045561.tif 000012
【図１１】
2007045561.tif 000013
【図１２】
2007045561.tif 000014